(57)【要約】【課題】ブラダー各部位の伸び率を簡単に測定可能にするタイヤ加硫用ブラダー及びその伸び率測定方法を提供する。【解決手段】外表面に加硫後のタイヤの内壁面に転写可能なスケールＳを形成したタイヤ加硫用ブラダー１、及び転写可能なスケールＳを外表面に形成したブラダー１を使用して未加硫タイヤ３を加硫し、加硫後のタイヤの内壁面に転写されたスケールＳの寸法変化に基づきブラダー１の各部位の伸び率を算定するタイヤ加硫用ブラダーの伸び率測定方法。【選択図】  図２
2005066849.tif 000002
【特許請求の範囲】
【請求項１】
タイヤを加硫する際に金型内に装着して使用するゴム製のブラダーにおいて、
前記ブラダーの外表面に加硫後のタイヤの内壁面に転写可能なスケールを形成したタイヤ加硫用ブラダー。
【請求項２】
前記スケールが、ブラダーの周方向及び／又は径方向に延在する凹凸である請求項１に記載のタイヤ加硫用ブラダー。
【請求項３】
転写可能なスケールを外表面に形成したブラダーを使用してタイヤを加硫し、加硫後のタイヤの内壁面に転写された前記スケールの寸法変化に基づき前記ブラダーの各部位の伸び率を算定するタイヤ加硫用ブラダーの伸び率測定方法。
【発明の詳細な説明】
【０００１】
【発明の属する技術分野】
本発明はタイヤ加硫用ブラダー及びその伸び率測定方法に関し、さらに詳しくは、タイヤ加硫時におけるブラダー各部位の伸びの変化を簡単に測定可能にするタイヤ加硫用ブラダー及びその伸び率測定方法に関する。
【０００２】
【従来の技術】
空気入りタイヤの加硫成形は、金型内に未加硫タイヤをセットし、その未加硫タイヤの内側にゴム風船様のブラダーを内設し、そのブラダー内に加熱気体を圧入することにより未加硫タイヤを金型の内面に押圧し、その状態を所定時間継続することにより行なう。  したがって、ブラダーは多数のタイヤの加硫成形に繰返し使用されることにより、タイヤ加硫時の熱や圧力によって長期の使用と共に次第に劣化する。
【０００３】
しかしブラダーの劣化は全体に均一に進行するわけではなく、膨張時の伸び率の大きい箇所と小さい箇所とで異なるから、新品時と相当使用後とでは、各箇所間での伸び率の相対関係は異なったものに変化してしまう。したがって、このまま生産を続けることはタイヤの品質や生産性等に悪い影響を及ぼす。
【０００４】
タイヤとブラダーとの適合性を保全管理することはタイヤの生産にとって重要な課題であり、これにはブラダーの特性、特に各箇所での伸び率の変化を把握し、各箇所での伸び率の変化に許容以上の相違が生じた時点でブラダーを新品のものに交換する必要がある。
【０００５】
このようなブラダーの交換時期は、タイヤの開発段階においてブラダーを設計するときに予め予測しておく必要があり、その予測のためにはブラダーの各部位の伸び率を知ることが必要である。
【０００６】
従来ブラダーの伸び率を予測する手段としては、複雑な計算式を駆使して計算することが一般的に行われている。しかしながら、この方法ではブラダーのクラウン部での伸び率を計算することしかできない。そのため、必ずしもブラダーの各部位の伸び率の変化を正確に把握しているとはいえなかった。
【０００７】
したがって、長期使用に伴い劣化したブラダーを交換する時期の把握は難しく、その時期をもっぱら経験を通じて設定しているのが現状であり、必ずしも適正な保全管理であるとはいえなかった。
【０００８】
【発明が解決しようとする課題】
本発明の目的は、かかる従来の問題点を解消し、ブラダー各部位の伸び率を簡単に測定可能にするタイヤ加硫用ブラダー及びその伸び率測定方法を提供することにある。
【０００９】
【課題を解決するための手段】
上記目的を達成するための本発明のタイヤ加硫用ブラダーは、タイヤを加硫する際に金型内に装着して使用するゴム製のブラダーにおいて、前記ブラダーの外表面に加硫後のタイヤの内壁面に転写可能なスケールを形成したことを特徴とするものである。
【００１０】
また、本発明のタイヤ加硫用ブラダーの伸び率測定方法は、転写可能なスケールを外表面に形成したブラダーを使用してタイヤを加硫し、加硫後のタイヤの内壁面に転写された前記スケールの寸法変化に基づき前記ブラダーの各部位の伸び率を算定することを特徴とする
このように、ブラダーの外表面に加硫後のタイヤの内壁面に転写可能なスケールを形成したので、タイヤの内壁面に転写されたスケールの寸法の変化を各部位で測定することにより、ブラダーの各部位の伸び率を簡単に算出することができる。
【００１１】
更に、上記のような伸び率の測定を、ブラダーを複数回使用後に行えば、その伸び率の変化が所定の大きさを超えたときを限界として、ブラダーの寿命とすることができる。また、タイヤに対するブラダーの捻れや挿入位置のずれの発生を知ることができる。
【００１２】
【発明の実施の形態】
以下、本発明の構成につき添付の図面を参照しながら詳細に説明する。
図１は本発明のタイヤ加硫用ブラダー（以下、単にブラダーという）の一例を金型にセットした状態で概略的に示した断面図である。図１において、１はブラダー、２は金型、３は金型２の内側にセットされた未加硫タイヤである。ブラダー１の詳細な形態は後述するが、ブラダー１はゴム製で筒状の樽形に成形され、上下端のクランプ部１ａ、１ｂをクランプリング４、４に把持されて金型２内にセットされている。
【００１３】
金型２は、未加硫タイヤ３のサイドウォール部を成形する上型２ａと下型２ｂと、トレッド部を成形するセクター２ｃとから構成されている。セクター２ｃは周方向に複数に分割されて構成され、それぞれ径方向に移動可能になっている。また、上型２ａも上下方向に移動可能になっている。
【００１４】
上記構成において、加熱気体等の熱媒体が供給口５から圧入されると共に、排出口６から一定量排出することにより、ブラダー１が矢印方向に二点鎖線で示す位置まで膨張し、未加硫タイヤ３を金型２の内面に押圧すると共に加熱する。この熱媒体による加熱加圧を一定時間継続することにより、未加硫タイヤ３は加硫されて製品タイヤになる。
【００１５】
上記のように加硫装置に使用されるブラダーにおいて、本発明のブラダー１は図２のように構成されている。ブラダー１は、その外表面に一定寸法の長さを一辺とする凸状に形成された正方形を列状に並べた形態からなるスケールＳが形成されている。このスケールＳは、ブラダー１の周方向及び幅方向に配列するように設けられている。
【００１６】
このように、スケールＳがブラダー１の外表面に形成されていることにより、加硫後のタイヤのインナーライナー層の表面にはスケールＳが凹状になって転写される。インナーライナー層の表面に転写されたスケールＳはブラダー１の各部位の伸長状況をそのまま表わしたものとなっている。
【００１７】
したがって、膨張前のブラダー１の表面のスケールＳの寸法と、加硫成形後のタイヤのインナーライナー層の表面に転写されたスケールＳの変化後の寸法との比率を計算すれば、各部位の伸び率を簡単に知ることができる。
【００１８】
本発明において、スケールＳは、実施形態のように凸状に形成するほか、凹溝又は凹凸に形成してもよく、或いは熱で転写可能な着色剤（顔料など）であってもよい。凸状や凹溝や凹凸の高さや深さや段差は特に限定されないが、好ましくは０．０５〜０．３ｍｍ程度にするとよい。
【００１９】
図２の実施形態のスケールＳは、平面視が正方形をなす格子状の凸状である場合を例示したが、その平面形状はこれに限られることはなく、一定寸法が継続するスケールとしての形態を有するものであれば任意の形状又は線であってよい。スケールＳの一単位の寸法（例えば正方形の一辺）としては、例えば１０〜３０ｍｍ程度にするとよい。ブラダー１の表面におけるスケールＳの配置は、ブラダー１の周方向及び幅方向に配列するようにするのが好ましいが、周方向又は幅方向に密に配列するようにしてもよい。
【００２０】
本発明のブラダー１の製作は、例えばスケールＳを凹状に形成する場合にはブラダー成形金型の成形面にスケールＳを凸状に形成した転写テープを貼着することにより簡単に得ることができる。
【００２１】
本発明のブラダー１は、タイヤの仕様毎に用意するとよく、これによって各仕様におけるブラダーの特性を把握することができる。また、新品時と、複数回にわたって使用した場合の複数段階毎での各部位の伸び率を測定し、その変化を調べることにより、ブラダーの異常変形の発生原因の究明や寿命予測をすることができ、これによりタイヤの品質の維持や生産性に寄与することができる。
【００２２】
【発明の効果】
上述したように、本発明のタイヤ加硫用ブラダーは、ブラダーの外表面に加硫後のタイヤの内壁面に転写可能なスケールを形成したので、タイヤの内壁面に転写されたスケールの寸法の変化を各部位で測定することにより、ブラダーの各部位の伸び率を簡単に算出することができる。
【００２３】
更に、このような伸び率の測定を、ブラダーを複数回使用した後に行えば、その伸び率の変化が所定の大きさを超えたときを限界として、ブラダーの寿命とすることができる。また、タイヤに対するブラダーの捻れや挿入位置のずれの発生を知ることができると共に、異常変形の発生原因の究明に使用することができ、タイヤに対するブラダーの保全管理を充実させてタイヤの品質や生産性の悪化を防止することができる。
【図面の簡単な説明】
【図１】本発明のタイヤ加硫用ブラダーの一例を金型にセットした状態で概略的に示した断面図である。
【図２】本発明のタイヤ加硫用ブラダーの一例を示す側面図である。
【符号の説明】
１  タイヤ加硫用ブラダー
１ａ、１ｂ  クランプ部
２  金型
２ａ  上型      ２ｂ  下型      ２ｃ  セクター
３  未加硫タイヤ
４  クランプリング
５  供給口
６  排出口
Ｓ  スケール
【図１】
2005066849.tif 000003
【図２】
2005066849.tif 000004